(57)【要約】バルブ、特に定量バルブを流体貯蔵器に設置された形で有する流体ディスペンサ装置を密封するためのバルブガスケットであって、特徴となるのは、加硫したエチレン酢酸ビニル樹脂（ＥＶＡ）、および／又は、ブチル（ＩＩＲ）又は加硫したハロブチル（ＣＩＩＲ又はＢＩＩＲ）のアロイを、ポリオクテンエチレン（ＰＯＥ）、エチレンプロピレン（ＥＰ）、エチレンプロピレンジエンモノマー（ＥＰＤＭ）、そしてクロロプレンゴム（ＣＲ）から成り、これら材料の全ては加硫されている、というグループから選択された１種類又は複数種類の材料と共に含んでいる点である、という前記ガスケット。【特許請求の範囲】
【請求項１】
バルブ、特に定量バルブを流体貯蔵器に設置された形で有する流体ディスペンサ装置を密封するためのバルブガスケットであって、
特徴となるのは、
加硫したエチレン酢酸ビニル樹脂（ＥＶＡ）、および／又は、ブチル（ＩＩＲ）又は加硫したハロブチル（ＣＩＩＲ又はＢＩＩＲ）のアロイを、ポリオクテンエチレン（ＰＯＥ）、エチレンプロピレン（ＥＰ）、エチレンプロピレンジエンモノマー（ＥＰＤＭ）、そしてクロロプレンゴム（ＣＲ）から成り、これら材料の全ては加硫されている、というグループから選択された１種類又は複数種類の材料と共に含んでいる点である、
という前記ガスケット。
【請求項２】
前記ガスケットは、エチレンプロピレン（ＥＰ）又はエチレンプロピレンジエンモノマー（ＥＰＤＭ）を含んでいること、
を特徴とする請求項１に記載のガスケット。
【請求項３】
前記ガスケットは、ポリオクテンエチレン（ＰＯＥ）を含んでいること、
を特徴とする請求項１又は２に記載のガスケット。
【請求項４】
前記ガスケットは、無機充填剤、および／又は、カーボンブラック充填剤、および／又は、加硫剤、および／又は、染料、および／又は、処理剤、および／又は可塑剤などの他成分を１種類又は複数種類含んでいること、
を特徴とする請求項１乃至３のいずれかに記載のガスケット。
【請求項５】
移動バルブ部材を備えたバルブ、特に定量バルブを有する流体ディスペンサ装置であって、前記バルブは流体および推進剤が格納された貯蔵器に設置されており、
当該装置は、バルブと貯蔵器との間にネックガスケットを少なくとも１つ、そして、前記バルブ部材が内部でスライド移動するところの動的ガスケットを少なくとも１つ有しており、
特徴となるのは、
前記ガスケットのうち少なくとも１つは、請求項１乃至４のいずれかに従って作られている点である、
という前記ディスペンサ装置。
【請求項６】
推進剤は、アルコールを伴う、あるいはアルコールを伴わない状態の、ＨＦＣ−１３４ａ又はＨＦＣ−２２７の気体を含むこと、
を特徴とする請求項５に記載の流体ディスペンサ。
【発明の詳細な説明】
【技術分野】
【０００１】
本発明は、流体貯蔵器に設置されるバルブ、より具体的に言えば定量バルブ、を有する流体ディスペンサ装置を密封するためのバルブガスケットに関する。
【背景技術】
【０００２】
加圧流体ディスペンサ装置（エアゾール装置など）に用いられるガスケットは、いくつかの条件や要件を満たさなければならない。すなわち、こうしたガスケットは、良好な力学的特性を示し、推進剤に適合した膨張特性を有し、適当な摩擦係数を示し、推進剤に対する耐性を有し、そして、良好な耐湿性を保証する、というものでなくてはならない。さらに具体的に言えば、こうした特徴が特に重要になるのは動的ガスケットの場合であり、これは、バルブが有する移動バルブ部材と定量分又は「ドーズ」分の放出対象物が格納されたバルブチャンバとの間で密封を実現するものである。
【０００３】
様々な理由、特に環境に関する理由から、クロロフルオロカーボン（ＣＦＣ）型の推進剤は、かなりの程度まで、ハイドロフルオロカーボン−１３４ａ（ＨＦＣ−１３４ａ）型、又はＨＦＣ−２２７型の推進剤に置き換えられてきており、これらはアルコールと共に、あるいはアルコールなしで使用される。こうした推進剤を用いるようになったことで、ガスケットに加えられる制約も変化し、結果、かつてＣＦＣガスと組み合わせて使用されていた従来の材料はもはや、その特性が最適のものとは言えなくなっている。加えて、考えられる推進剤の型（ＨＦＣ−１３４ａ又はＨＦＣ−２２７、アルコールと共に、あるいはアルコールなしで）に応じて、ガスケット材料の特性も変化し、従って、その適合性も変化しうる。
【０００４】
特許公報：ＧＢ−２ ３２３ ５９７号には、アロイから成るガスケットが開示されており、ここでのガスケットのアロイは、第１に架橋構造（すなわち、加硫）エラストマー材料で成るものであり、第２に熱可塑性材料および／又は非架橋構造のエラストマー熱可塑性材料で成るものである。こうした型のアロイは、ＨＦＣ型の推進剤と接触するには適さない可能性がある。
【発明の開示】
【発明が解決しようとする課題】
【０００５】
本発明の目的は、推進剤の型（ＨＦＣ−１３４ａ又はＨＦＣ−２２７、アルコールと共に、あるいはアルコールなしで）に関わりなく上述の条件をよく満たす、というバルブガスケットを提供することである。
また、本発明のもう１つの目的は、アルコールを伴う、あるいはアルコールのない状態でのハイドロフルオロアルカン（ＨＦＡ）型の推進剤（ＨＦＣ−１３４ａ又はＨＦＣ−２２７）と流体とに接触するように設計されたバルブガスケットであって、しかも、力学的特性、および／又は膨張特性、および／又は摩擦係数、および／又は推進剤に対する耐性、および／又は耐湿性が良好なものとなることを保証する、というバルブガスケットを提供することである。
【０００６】
本発明はさらに、製造が簡単かつ安価であるバルブガスケットを提供することを目的とする。
【課題を解決するための手段】
【０００７】
そこで、本発明が提供するのは、バルブ、特に定量バルブを流体貯蔵器に設置された形で有する流体ディスペンサ装置を密封するためのバルブガスケットであって、特徴となるのは、加硫したエチレン酢酸ビニル樹脂（ＥＶＡ）、および／又は、ブチル（ＩＩＲ）又は加硫したハロブチル（ＣＩＩＲ又はＢＩＩＲ）のアロイを、ポリオクテンエチレン（ＰＯＥ）、エチレンプロピレン（ＥＰ）、エチレンプロピレンジエンモノマー（ＥＰＤＭ）、そしてクロロプレンゴム（ＣＲ）から成り、これら材料の全ては加硫されている、というグループから選択された１種類又は複数種類の材料と共に含んでいる点である、という前記ガスケットである。
【発明の効果】
【０００８】
また、効果的な構成として、前記ガスケットは、エチレンプロピレン（ＥＰ）又はエチレンプロピレンジエンモノマー（ＥＰＤＭ）を含んでいること、とする。
また、効果的な構成として、前記ガスケットは、ポリオクテンエチレン（ＰＯＥ）を含んでいること、とする。
また、効果的な構成として、前記ガスケットは、無機充填剤、および／又は、カーボンブラック充填剤、および／又は、加硫剤、および／又は、染料、および／又は、処理剤、および／又は可塑剤などの他成分を１種類又は複数種類含んでいること、とする。
【０００９】
また、本発明は、移動バルブ部材を備えたバルブ、特に定量バルブを有する流体ディスペンサ装置であって、前記バルブは流体および推進剤が格納された貯蔵器に設置されており、当該装置は、バルブと貯蔵器との間にネックガスケットを少なくとも１つ、そして、前記バルブ部材が内部でスライド移動するところの動的ガスケットを少なくとも１つ有しており、前記ガスケットのうち少なくとも１つは、本発明に従って作られている、というディスペンサ装置も提供する。
【００１０】
また、その場合、推進剤は、アルコールを伴う、あるいはアルコールを伴わない状態の、ＨＦＣ−１３４ａ又はＨＦＣ−２２７の気体を含むこと、とするのが好ましい。
【発明を実施するための最良の形態】
【００１１】
第1の例におけるガスケットは、主要ポリマーとして、本質的に加硫したエチレン酢酸ビニル樹脂（ＥＶＡ）のエラストマーを有する。
アルコール（例えば、エタノール）を伴う、あるいはアルコールのない状態での、ＨＦＣ−１３４ａ又はＨＦＣ−２２７型の推進剤と接触する場合において、これは、優れた力学的特性と低い膨張性とを示す。よって、これは特に動的ガスケットとして用いるのによく適している。ただし、当然のことながら、エアゾール装置などで、バルブと流体および推進剤が格納された貯蔵器との間に密封を実現するためのネックガスケットとして用いることもできる。本ガスケットにはまた、他の加硫エラストマー材料と合わせるのが容易であるという効果もあり、それら材料とは、ポリクロロプレン（クロロプレンゴム又は「ＣＲ」）、ポリオクテンエチレン（ＰＯＥ）、ブチル（ＩＩＲ）、ハロブチル（ＣＩＩＲ又はＢＩＩＲ）、エチレンプロピレン（ＥＰ）、又はエチレンプロピレンジエンモノマー（ＥＰＤＭ）などである。これによって、ガスケットの特性を最適化することが可能となり、具体的には、推進剤の型（ＨＦＣ−１３４ａ又はＨＦＣ−２２７、アルコールと共に、あるいはアルコールなし）、および／又は、投与対象の有効成分に応じて最適化が可能となる。
【００１２】
具体的には、加硫ポリオクテンを加えることで、ＨＦＣ型の推進剤と接触する際の膨張特性が低くなることが保証される。
また、加硫エチレンプロピレン（ＥＰ）、又は加硫エチレンプロピレンジエンモノマー（ＥＰＤＭ）を加えた場合、特に、ＨＦＣ型の推進剤と共に用いる際に、ガスケットについて膨張を小さくすることが可能となり、それと共に、高いレベルの力学的特性が維持され、製造コストも手ごろである。
【００１３】
また、加硫ポリクロロプレン（ＣＲ）を加えれば、ＨＦＣ型の推進剤の中でも力学的特性が優れていて膨張性も低い、というガスケットを実現することができる。
また、別の例として、加硫したブチル（ＩＩＲ）又はハロブチル（ＣＩＩＲ又はＢＩＩＲ）を主要エラストマー成分として有するガスケットを実現することも考えられる。この型のガスケットであれば、ＨＦＣ型の推進剤の中でも、優れた耐湿性と低い膨張性とを示す。加硫したＰＯＥおよび／又はＥＰおよび／又はＥＰＤＭおよび／又はＣＲを含むアロイであれば、各種の特性を効果的に最適化することができる。
【００１４】
これまでに述べたガスケット材料の全てについて、加硫することが可能であり、さらに１種類または複数種類の他成分（ガスケットの分野で一般によく知られたもの）を含ませることができる。具体的には、ガスケットの組成に、無機充填剤又はカーボンブラック充填剤、加硫剤、染料、処理剤、又は可塑剤を含ませることができる。
従って、本発明のエアゾールディスペンサ用のバルブガスケットは、数多くの用途に用いることができ、その組成は主として、具体的な力学的条件および密封条件と、前記ガスケットに接触させられることになる流体および推進剤によって決まる。
【００１５】
また、製造の容易さとコストの低さも、本発明のガスケットの効果的な側面である。
【国際公開パンフレット】
2005501783.tif 000002
2005501783.tif 000003
2005501783.tif 000004
2005501783.tif 000005
2005501783.tif 000006
2005501783.tif 000007
【国際調査報告】
2005501783.tif 000008
2005501783.tif 000009
2005501783.tif 000010
2005501783.tif 000011